(57)【要約】      （修正有）【課題】カード紙をポケットの内部に奥まで差し込んでも貼り付かず、僅かな力で引き抜くことができる札差ポケットラベルを提供する。【解決手段】少なくとも直交する２辺に所定幅で接着面２を有するシートからなるラベル本体１からなり、接着面を箱１０等の被接着面に接着することによって、被接着面とラベル本体との間にカード紙１１を挿入するポケットを形成する札差ポケットラベルにおいて、接着面におけるカード紙の縁部と接する縁部形状を、カード紙の縁部が点接触となる非直線形状とする。接着面の縁部形状は、波形、半円形、鋸歯状等とすることができる。カード紙の縁は接着面２の内縁の粘着部分に点接触で接するため、抜くときに強い力を必要としない。【選択図】図２
0003191436.tif 000002
【実用新案登録請求の範囲】
【請求項１】
少なくとも直交する２辺に所定幅で接着面を有するシートからなり、前記接着面を被接着面に接着することによって、前記被接着面と前記シートとの間にカード紙を挿入するポケットを形成する札差ポケットラベルにおいて、
前記接着面における前記カード紙の縁部と接する縁部形状を、カード紙の縁部が点接触となる非直線形状としたことを特徴とする札差ポケットラベル。
【請求項２】
前記接着面の縁部形状を、波形とした請求項１記載の札差ポケットラベル。
【請求項３】
前記接着面の縁部形状を、半円形とした請求項１記載の札差ポケットラベル。
【請求項４】
前記接着面の縁部形状を、鋸歯状とした請求項１記載の札差ポケットラベル。
【考案の詳細な説明】
【技術分野】
【０００１】
本考案は、冠婚葬祭等の参列者に進呈する記念品や粗品の箱に貼り付けて、礼状や挨拶状を差し込む用途、あるいはカタログやパンフレット、会社案内など冊子の表紙に貼り付けて、名刺や案内状を差し込むような用途、さらに、スーパーマーケットや物販店などで、陳列棚の壁面やポスター、商品の外箱などに貼り付けて、販促を目的とした商品紹介のリーフレット、レシピ集、ポイントカード、懸賞の応募券などを差し込む用途等にも適用できる札差ポケットラベルに関する。
【背景技術】
【０００２】
従来より、会葬御礼等で参列者に手渡す記念品や粗品には、礼状や挨拶状が添えられるが、添付や取り出しが容易なように、箱にポケットシール（札差ポケットラベル）を貼り、そこに礼状や挨拶状を差し込むようにしている。
【０００３】
例えば、特許文献１には、図８、図９のような、ポケットシールが開示されている。図８のポケットシール４１は、透明な軟質のフィルム４２からなり、フィルム４２の片面の外周端部に接着面４２ａが設けられる。記念品や粗品の箱等の被接着体４３に接着面４２ａを貼り付けると、被接着体４３の表面とフィルム４２の内側面との間に収納ポケット４６が形成される。収納ポケット４６には、例えば図８に示すように、カード紙４７が縦方向に差し込まれる。
【０００４】
図９のポケットシール５１は、接着面５２ａをフィルム５２の３方に設け、フィルム５２のポケット面５２ｃに長孔５５を設けたものである。長孔５５は、収納ポケット５６の底部から開口部に向かって延びるようにフィルム５２の中央部に形成される。例えば、長孔５５の長さは、２〜３ｃｍ程度、孔幅は、１ｃｍ程度にするとよい。この例によると、収納ポケット５６からカード紙５７を取り出す場合に、長孔５５から指等でカード紙５７を押し上げることができ、取り出し操作が行いやすくなる。
【０００５】
このポケットシールは、記念品、粗品等の外側の包装材である紙箱、紙器、袋などに貼付して、礼状やカード類を差し込んで、その製品に礼状やカード類を添付できるようにするものである。
このポケットシールと同様の構成のものが、特許文献２にも開示されている。
【先行技術文献】
【特許文献】
【０００６】
【特許文献１】特開平７−１７７９２１号公報
【特許文献２】実開平４−３９６３号公報
【考案の概要】
【考案が解決しようとする課題】
【０００７】
上述したように、従来のポケットシールは、図８、図９のように、２辺または３辺に接着面４２ａ、５２ａが設けられているが、いずれも接着面４２ａ、５２ａの内側の端部は直線状になっている。このような構造の場合、カード紙４７，５７を奥まで差し込んだ際に（実際、落下を防止するために奥まで差し込むことが多いはずである。）、カード紙４７，５７の縁が粘着部分に達すると、カード紙４７，５７が接着面４２ａ、５２ａの粘着部に貼り付いてしまい、カード紙４７，５７を抜こうとしても抜けない場合があった。
【０００８】
そこで本考案は、カード紙をポケットの内部に奥まで差し込んでも貼り付かず、僅かな力で引き抜くことのできる札差ポケットラベルを提供することを目的とする。
【課題を解決するための手段】
【０００９】
前記課題を解決するため、本考案は、少なくとも直交する２辺に所定幅で接着面を有するシートからなり、前記接着面を被接着面に接着することによって、前記被接着面と前記シートとの間にカード紙を挿入するポケットを形成する札差ポケットラベルにおいて、
前記接着面における前記カード紙の縁部と接する縁部形状を、カード紙の縁部が点接触となる非直線形状としたことを特徴とする。
前記シートとしては、無色透明または着色されたフィルム、薄い紙、不織布、無地または文字や図形が施されたものなど、各種のものを使用することができる。
前記接着面の縁部形状は、例えば波形、半円形、鋸歯状とすることができる。
【考案の効果】
【００１０】
本考案によれば、接着面におけるカード紙の縁部と接する縁部形状を、カード紙の縁部が点接触となる非直線形状としたことにより、カード紙をポケットに挿入した時に、カード紙の縁部全体が接着面に接着せず点接触で接着するため、カード紙をポケットの内部に奥まで差し込んでも貼り付かず、僅かな力で引き抜くことができる。
【図面の簡単な説明】
【００１１】
【図１】本考案の実施の形態１に係る札差ポケットラベルの正面図である。
【図２】本考案の実施の形態１に係る札差ポケットラベルの使用状態を示す正面図である。
【図３】本考案の実施の形態１に係る札差ポケットラベルの提供例を示す正面図である。
【図４】本考案の実施の形態２に係る札差ポケットラベルの正面図である。
【図５】本考案の実施の形態３に係る札差ポケットラベルの正面図である。
【図６】本考案の実施の形態１における接着面の縁部形状の他の例（半円形）を示す正面図である。
【図７】本考案の札差ポケットラベルの形状の他の例を示す正面図である。
【図８】従来の札差ポケットラベル（ポケットシール）の正面図である。
【図９】従来の札差ポケットラベル（ポケットシール）の他の例を示す正面図である。
【考案を実施するための形態】
【００１２】
以下、本考案の実施の形態を、図面を参照しながら具体的に説明する。
図１は本考案の実施の形態１に係る札差ポケットラベルを示すものであり、ほぼ直角三角形状の透明なフィルムからなるラベル本体１の直交する２辺の裏面に、接着面２を形成したものであり、接着面２の内側縁部は、波形に凹凸を設けている。図面では、接着面２は黒いシェードで表しているが、実際は接着面２は透明である。接着面２以外のラベル本体１の裏面は、非接着面であり、これと被接着面との間の空間がポケットとなり、斜辺３と被接着面との間の隙間からカード紙を挿入する。
【００１３】
図２は、図１の札差ポケットラベルのラベル本体１を、記念品や粗品の箱１０の表面（被接着面）に貼り付けた状態を示すものであり、ラベル本体１は、２辺の接着面２により箱１０の表面に貼着される。これにより生じた箱１０の表面とラベル本体１の裏面との間の隙間であるポケットに、礼状や挨拶状等のカード紙１１を斜辺３から差し込んでおき、参列者に手渡す。
【００１４】
このように、ポケットにカード紙１１を差し込むと、カード紙１１の縁は接着面２の内縁の粘着部分に点接触で接するため、もしカード紙１１が接着面２の粘着部に貼り付いても、抜くときに強い力を必要としない。
むしろ、あえて奥まで差し込んで、接着面２の粘着部の頂点にカード紙１１を故意に押し付けてしまえば、落下防止にも一定の効果がある。この構造は、カード紙１１が落下しにくく、かつ抜き取りやすいという特徴を備えている。
【００１５】
図３は、本考案の札差ポケットラベルを提供する際の形態を示すものであり、工場では、剥離台紙２０に、斜辺３を合わせた状態にラベル本体１を２つ接着面２で貼り付けたものを製造し、ユーザに提供する。ユーザは、剥離台紙２０からラベル本体１を剥がして、被接着面に貼り付ける。
【００１６】
なお、ラベル本体１の裏面の、接着面２ではない部分に、小さな面積で接着部４を数カ所設けることにより、製造時や集荷時、取り扱い時に剥離台紙２０からラベル本体１が浮いてしまわないようにしている。さらに、接着部４は、差し込んだカードが落下することを防止する役目も担っている。
【００１７】
以上の実施の形態１では、ラベル本体１はほぼ直角三角形状としたが、そのほかにも、図４に示す実施の形態２のように台形状としたり、図５に示す実施の形態３のように台形状のラベル本体１の直交する３辺に接着面２を形成したりすることもできる。
【００１８】
また、以上の実施の形態では、接着面２の内側端部形状は波形としたが、図６に示すような半円形、鋸歯状（図示せず）など、カード紙の縁部と接する箇所が点接触であれば、他の形状とすることもできる。
【００１９】
さらに、上記の実施の形態では、ラベル本体１は直角三角形、あるいは台形状としたが、これに限らない。例えば、図７（ａ）に示すような星形、（ｂ）に示すような雲形、（ｃ）に示すような楕円形等、各種の外形とすることができる。
【００２０】
また、ラベル本体１の素材は、上記の実施の形態では透明なフィルムとしたが、これに限らず、着色されたフィルム、薄い紙、不織布等、他の材料を使用することができる。
さらに、ラベル本体１は、無地のほか、文字や図形、たとえば企業名や商品名、ロゴ等が施されたものを使用することができる。
【産業上の利用可能性】
【００２１】
本考案は、カード紙をポケットの内部に奥まで差し込んでも貼り付かず、僅かな力で引き抜くことができる札差ポケットラベルとして、礼状や挨拶状を差し込む用途、カタログやパンフレット、会社案内など冊子の表紙に貼り付けて、名刺や案内状を差し込むような用途、スーパーマーケットや物販店などで、陳列棚の壁面やポスター、商品の外箱などに貼り付けて、販促を目的とした商品紹介のリーフレット、レシピ集、ポイントカード、懸賞の応募券などを差し込む用途等に、好適に利用することができる。
【符号の説明】
【００２２】
１  ラベル本体
２  接着面
３  斜辺
４  接着部
１０  箱
１１  カード紙
２０  剥離台紙
【図１】
0003191436.tif 000003
【図２】
0003191436.tif 000004
【図３】
0003191436.tif 000005
【図４】
0003191436.tif 000006
【図５】
0003191436.tif 000007
【図６】
0003191436.tif 000008
【図７】
0003191436.tif 000009
【図８】
0003191436.tif 000010
【図９】
0003191436.tif 000011